(57)【要約】【課題】リード線の接続をより簡易かつ迅速に行い得る端子台を提供する。【解決手段】内部に備えるリード線保持孔３１にリード線８０を挿入可能な開放位置Ｉと、リード線８０を端子台１に接続・保持する接続位置ＩＩとに位置変換される可動押圧片３０に、リード線保持孔３１内に突出するリード線保持片４６，４７を突成し、リード線保持孔３１の座定位置Ｘまで挿入されたリード線８０の挿入端８１側縁に弾接して、該挿入端８１を座定位置Ｘに保持するようにした。【選択図】  図１４
2004273379.tif 000002
【特許請求の範囲】
【請求項１】
杆状導通片を絶縁性基板に横断状に装着し、リード線が杆状導通片に電気的に接続される複数の接続部を、杆状導通片に沿って具備する端子台において、
各接続部は、
杆状導通片に一体的に形成されて刃先を導通片の長手方向に沿って突出するＶ形破断刃と、
ほぼ上下方向のリード線保持孔が形成され、杆状導通片に沿って移動して、リード線保持孔がＶ形破断刃から退避する開放位置とＶ形破断刃と上下で重なる接続位置とに位置決めされる可動押圧片とを備え、
可動押圧片を接続位置に移動することにより、該接続位置で、リード線保持孔に挿入されたリード線をＶ形破断刃にくい込ませて、その導線と杆状導通片とを電気的に接続するようにしたものにあって、
リード線保持孔内に突成され、リード線保持孔へ挿入されたリード線の挿入端が座定位置となると、該挿入端の側縁に弾接して、該挿入端を座定位置に保持するリード線保持片を備えたことを特徴とする端子台。
【請求項２】
前記リード線保持片が、リード線保持孔の少なくとも一側に突成され、リード線保持孔へ挿入されたリード線の挿入端が座定位置となると、該挿入端の側縁に弾接し、該挿入端を、リード線保持孔の反対側面との間で挟圧して、座定位置に保持するようにした請求項１記載の端子台。
【請求項３】
前記リード線保持片が、リード線保持孔の両側に突成され、リード線保持孔へ挿入されたリード線の挿入端が座定位置となると、両リード線保持片が、該挿入端の側縁に夫々弾接して、該挿入端を挟圧して座定位置に保持するようにした請求項１又は請求項２に記載の端子台。
【請求項４】
可動押圧片が、接続位置でＶ形破断刃の下方に位置し、リード線保持孔の下部を中央に形成する正面略Ｕ字状の押圧部を備え、
前記リード線保持片が、該押圧部の縦辺に連成されて、リード線保持孔内に突出する請求項１乃至請求項３のいずれかに記載の端子台。
【請求項５】
前記リード線保持片が、可撓性を有し、かつリード線保持孔内に突出する舌状をなし、リード線保持孔へ挿入されたリード線の挿入端が座定位置となると、該挿入端により下方に押圧されて変形し、該挿入端の側縁に弾接するものである請求項１乃至請求項４のいずれかに記載の端子台。
【請求項６】
可動押圧片に上下方向の作動孔を形成して、該作動孔内にリード線挿入確認片を昇降可能に保持すると共に、
前記リード線保持片が、
リード線保持孔内に突成される可撓性の保持部と、
該保持部から突出した一端を前記リード線挿入確認片の下部に連係し、該保持部から他方へ突出した他端をリード線の挿入端の座定領域に突出するように配置される傾動部とからなり、リード線保持孔へ挿入されたリード線の挿入端が座定位置となると、該挿入端により傾動部の他端が押圧されて保持部が撓み、該傾動部の他端を該挿入端の側縁に弾接すると共に、傾動部の一端が上方に移動して、連係するリード線挿入確認片を上昇させて、その上端を外方から視認可能な確認位置に変位させるものである請求項１乃至請求項４のいずれかに記載の端子台。
【発明の詳細な説明】
【０００１】
【発明の属する技術分野】
本発明は、導通片を介して複数のリード線を電気的に接続するための端子台に関するものである。
【０００２】
【従来の技術】
杆状導通片を絶縁性基板に横断状に装着し、リード線が杆状導通片に電気的に接続される複数の接続部を杆状導通片に沿って具備する端子台は種々提案されている。これらの端子台は、通常、前後に重ね合わせられ、据付レール上に保持されて集合端子台を形成する（例えば、特許文献１参照。）。かかる集合端子台にあっては、複数の端子台に亘って短絡部材を接続することにより、該端子台の杆状導通片間を短絡可能となっており、該集合端子台を構成する各端子台にリード線及び短絡部材を適宜接続することで、リード線の接続や分岐、中継等を行い得る。
【０００３】
また、上述の端子台にあって、各接続部は、杆状導通片に一体的に形成されて刃先を導通片の長手方向に沿って突出するＶ形破断刃と、ほぼ上下方向のリード線保持孔が形成され、杆状導通片に沿って移動して、リード線保持孔がＶ形破断刃から退避する開放位置とＶ形破断刃と上下で重なる接続位置とに位置決めされる可動押圧片とを備えた構成が、本発明者により提案され、既に特許出願している（特願２００２−０９０６６２）。
【０００４】
かかる端子台にあっては、可動押圧片の開放位置で、リード線を、リード線保持孔の奥部の座定位置まで挿入し、ドライバー等を梃子棒として用いて、その梃子作用により可動押圧片を接続位置に移動して、該接続位置で該リード線をＶ形破断刃にくい込ませて、その導線を杆状導通片に圧接して電気的に接続すると共に、リード線を引抜き不可能に保持するようになっている。こうした接続作業においては、リード線保持孔へのリード線の挿入が中途半端であると、接続不良となったり、リード線が脱落し易くなるため、リード線の挿入端を座定位置まで確実に挿入することを要する。
【０００５】
【特許文献１】
特開平１０−２２４４５９号公報
【０００６】
【発明が解決しようとする課題】
ところで、上述の端子台にあっては、リード線保持孔に挿入したリード線は、可動押圧片を接続位置に移動して初めて端子台に引抜き不可能に保持される。このため、リード線の接続作業においては、リード線保持孔に挿入したリード線を端子台に接続するまで、該リード線の挿入端が座定位置から脱落しないように外部で把持しなければならない。また、複数のリード線を集合端子台の各接続部へ接続する場合には、複数のリード線を外部で同時に保持するのは困難であるため、接続部毎にリード線を挿入して梃子棒で可動押圧片の接続位置へ移動するといった操作を繰り返さねばならず、接続作業が煩雑なものとなっている。
【０００７】
本発明は、かかる問題の解決を試みたものであり、リード線の接続をより簡易かつ迅速に行い得る端子台の提供を目的とする。
【０００８】
【課題を解決するための手段】
本発明は、杆状導通片を絶縁性基板に横断状に装着し、リード線が杆状導通片に電気的に接続される複数の接続部を、杆状導通片に沿って具備する端子台において、各接続部は、杆状導通片に一体的に形成されて刃先を導通片の長手方向に沿って突出するＶ形破断刃と、ほぼ上下方向のリード線保持孔が形成され、杆状導通片に沿って移動して、リード線保持孔がＶ形破断刃から退避する開放位置とＶ形破断刃と上下で重なる接続位置とに位置決めされる可動押圧片とを備え、可動押圧片を接続位置に移動することにより、該接続位置で、リード線保持孔に挿入されたリード線をＶ形破断刃にくい込ませて、その導線と杆状導通片とを電気的に接続するようにしたものにあって、リード線保持孔内に突成され、リード線保持孔へ挿入されたリード線の挿入端が座定位置となると、該挿入端の側縁に弾接して、該挿入端を座定位置に保持するリード線保持片を備えたことを特徴とする端子台である（請求項１）。
【０００９】
かかる構成にあっては、可動押圧片の開放位置でリード線をリード線保持孔の座定位置まで挿入すると、リード線保持片が該リード線の挿入端の側縁に弾接して、その押圧力でリード線を座定位置に押し留めることとなる。従って、リード線の接続作業では、挿入したリード線を外部で保持することを要せず、リード線の接続作業は容易となる。そして、かかる端子台を列設した集合端子台に複数のリード線を接続する場合には、複数のリード線を夫々所要のリード線保持孔へ立て続けに挿入して、全てのリード線をリード線保持片により座定位置に保持した後に、リード線を保持する可動押圧片を接続位置へ移動させて、各リード線を接続部に接続させることが可能となる。すなわち、従来では可動押圧片の開放位置でリード線が座定位置に保持されず、リード線の挿入と、可動押圧片の移動との二つの操作を交互に行っているが、かかる構成では各動作を纏めて実行可能となるため、かかる作業を迅速に行い得る。
【００１０】
ここで、前記リード線保持片によるリード線の保持機構としては、リード線保持片が、リード線保持孔の少なくとも一側に突成され、リード線保持孔へ挿入されたリード線の挿入端が座定位置となると、該挿入端の側縁に弾接し、該挿入端を、リード線保持孔の反対側面との間で挟圧して、座定位置に保持するようにした構成（請求項２）や、リード線保持片が、リード線保持孔の両側に突成され、リード線保持孔へ挿入されたリード線の挿入端が座定位置となると、両リード線保持片が、該挿入端の側縁に夫々弾接して、該挿入端を挟圧して座定位置に保持するようにした構成（請求項３）が提案される。かかる構成にあっては、リード線保持片と、リード線保持孔の反対側面又は反対側のリード線保持片との間でリード線の挿入端が挟持され、座定位置から脱落しないように安定して保持されることとなる。ここで、該挿入端を挟持する際には、リード線保持片と、リード線保持孔の反対側面又は反対側のリード線保持片との二点のみで挟持する必要はなく、他部を交えて保持するようにしてもよい。また、リード線保持孔の両側にリード線保持片を突成する構成にあっては、両リード線保持片の形状は夫々異なるものでも構わない。
【００１１】
また、可動押圧片が、接続位置でＶ形破断刃の下方に位置し、その中央部にリード線保持孔の下部を形成する正面略Ｕ字状の押圧部を備え、前記リード線保持片が、該押圧部の縦辺に連成されて、リード線保持孔内に突出する構成（請求項４）も提案される。かかる構成にあっては、リード線保持孔下部は、正面略Ｕ字状の押圧部に形成されて前後に開放しているためリード線保持片をリード線保持孔内に形成し易く、また、リード線保持片は該押圧片の縦辺に連成することにより、部品点数を増やすことなく作製可能となる。すなわち、リード線は通常太さ数ｍｍ程度であり、これを保持するリード線保持孔も幅数ｍｍ程度のものであるため、リード線保持片は微小な形状が求められるが、上述したように、リード線保持孔下部を開放形状とし、リード線保持片を該リード線保持孔の下部側面を形成する押圧片の縦辺に一体的に連成することにより、狭いリード線保持孔内に微小なリード線保持片を容易に作製可能となる。
【００１２】
そして、こうした端子台は、種々の太さのリード線を接続可能とするものである。このため、リード線保持片が、可撓性を有し、かつリード線保持孔内に突出する舌状をなし、リード線保持孔へ挿入されたリード線の挿入端が座定位置となると、該挿入端に下方に押圧されて変形し、該挿入端の側縁に弾接するものである構成が提案される（請求項５）。かかる構成にあっては、リード線保持片の撓み幅が大きいため、多様な太さのリード線に対して弾接でき、リード線保持孔内で保持可能なリード線の太さ範囲が拡がることとなる。また、かかるリード線保持片は簡易な形状であるため形成も容易である。
【００１３】
さらに、可動押圧片に上下方向の作動孔を形成して、該作動孔内に、リード線挿入確認片を昇降可能に保持すると共に、前記リード線保持片が、リード線保持孔内に突成される可撓性の保持部と、該保持部から突出した一端を前記リード線挿入確認片の下部に連係し、該保持部から他方へ突出した他端をリード線の挿入端の座定領域内に突出するように配置される傾動部とからなり、リード線保持孔へ挿入されたリード線の挿入端が座定位置となると、該挿入端により傾動部の他端が押圧されて保持部が撓み、該傾動部の他端を該挿入端の側縁に弾接すると共に、傾動部の一端が上方に移動して、連係するリード線挿入確認片を上昇させて、その上端を外方から視認可能な確認位置に変位させるものである構成も考えられる（請求項６）。ここで、座定領域とはリード線の挿入端の座定位置及びその周辺領域を指す。かかる構成にあっては、リード線保持片は、リード線の座定位置への進入に伴いその挿入端に一方の端部を弾接すると共に、反対の端部で連係するリード線挿入確認片を上昇させるため、リード線の座定位置への進入と退避を、外方から間接的に視認可能となる。
【００１４】
【発明の実施の形態】
本発明の一実施例を添付図面に従って説明する。
図１は、本発明の一実施例に係る端子台１を示す。この端子台１はポリカーボネイト等絶縁性樹脂材料によって板状に形成された左右対称の絶縁性基板２を主体部とする。そして該絶縁性基板２上に杆状導通片２０を横断状に装着し、さらに該杆状導通片２０の両側に可動押圧片３０，３０を移動可能に装着することにより、端子台１の両側に、リード線８０を接続するための接続部３，３が配設される。すなわち、かかる端子台１では、可動押圧片３０，３０のリード線保持孔３１に夫々リード線８０，８０を挿入して、杆状導通片２０の左右の側部に接続することで、該杆状導通片２０を介して左右のリード線８０が電気的に接続される。以下にこの端子台１の各部を詳細に説明する。
【００１５】
絶縁性基板２は、図２に示すように、背板１０から所定肉厚で画成壁４が突出することにより、座定溝面５，５などを一面側で開放状に形成してなる。すなわち、絶縁性基板２の上面は肉厚頂部７から両側へ、等角度で傾斜したへ字状をなし、その傾斜辺の内側を、画成壁４により傾斜辺に沿ってほぼ矩形状に区画された座定溝面５，５とし、さらに座定溝面５，５上を上方へ開放する結線口６，６としている。また前記座定溝面５，５の底部には、梃子棒８２（図１４，１５参照）の先端部を支持側縁９で傾動可能に支持する上方へ拡開する操作溝８が画成壁４により区画形成されている。
【００１６】
また、絶縁性基板２の画成壁４の適宜位置に連結孔５５を形成し、さらに背板１０の、該連結孔５５と対向する位置に、該連結突起（図示せず）を形成して、相互に嵌入することにより、端子台１は、前面の開放部を隣接する端子台１の背板１０で遮蔽するようにして、相互に重ね合わせ状に連結して集合端子台１１を形成する。また最端部の端子台１の画成壁４に端子台１とほぼ同一外形の端板５７が被着される。このようにして端子台１は、図３，４で示すように、上述した据付レール７０の連係突部７１，７１に連結片１５，１５を係合して、据付レール７０上に多数重ね合わせ状に連結される。さらに、この集合端子台１１を据付レール７０上で固定するために、該据付レール７０に固定金具７６，７６が螺子７７により固定される。
【００１７】
杆状導通片２０は、図１に示すように、座定溝面５，５に差し渡して装着され、絶縁性基板２の背板１０に対して、へ字状に屈曲した杆状をなす。この杆状導通片２０の、各座定溝面５，５に装着される各辺部は接続部３，３の主部を構成する。
【００１８】
さらに詳細に説明すると、杆状導通片２０は、図５〜７で示すように、各座定溝面５，５に装着される各辺部にあって、底面部２１ａと、該底面部２１ａの両側から起立する側面部２１ｂ，２１ｂとからなる断面コ字状をなす。また、その図３中の両側では、側面部２１ｂ，２１ｂから舌片部２１ｃ，２１ｃが湾曲状に延出して、その端縁を接触状に対向させており、舌片部２１ｃ，２１ｃの内側端縁に、刃先を杆状導通片２０の長手方向に沿って突出するＶ形破断刃２２を削成している。さらに、底面部２１ａには、操作溝８の開口に臨む部位を切欠して、梃子棒作動口２３，２３を形成している。
【００１９】
可動押圧片３０は、図１に示すように、夫々左右の接続部３，３にあって、杆状導通片２０の側面部２１ｂ，２１ｂ間に、該杆状導通片２０に沿って移動可能に装着される。この可動押圧片３０は、絶縁性合成樹脂を成型してなり、図８，９に示すように、外側（図８，９中の右側）にリード線保持孔３１が、内側（図８，９中の左側）に梃子棒貫通孔３２が上下方向へ夫々形成される。また、リード線保持孔３１と、梃子棒貫通孔３２との中間には、作動孔４４が上下方向に形成されており、その内部には、リード線挿入確認片４０が昇降可能に保持される。
【００２０】
さらに図８〜１２に従って、詳しく述べる。尚、以下の説明では可動押圧片３０の内方とは図８中の左方を指し、外方とは図８中の右方を指す。前記可動押圧片３０は、正面鉤形をなす肉厚な基部３３と、該基部３３の外側下部に形成される肉薄な押圧部３４とを備える。この押圧部３４は正面略Ｕ字形をなし、この押圧部３４は杆状導通片２０の側面部２１ｂ，２１ｂ間に嵌入するように装着されて、可動押圧片３０の接続位置ＩＩでは、前記杆状導通片２０の側面部２１ｂ，２１ｂ及び舌片部２１ｃ，２１ｃ間に、押圧部３４全体が嵌入する。すなわち、該押圧部３４の上縁と基部３３の外側部下縁との間に、接続位置ＩＩでＶ形破断刃２２がくい込むこととなる。そして、後述するように、この押圧部３４の中央の溝部が、リード線保持孔３１の下部を構成し、該押圧部３４に本発明にかかるリード線保持片４６，４７が突成される。
【００２１】
前記梃子棒貫通孔３２は、基部３３の内側部に、杆状導通片２０の長尺方向と直交するようにして上下に貫通状に形成される。そして、ドライバー等からなる梃子棒８２を、梃子棒貫通孔３２及び梃子棒作動口２３を通し、操作溝８に挿入して傾動すると、梃子棒貫通孔３２の内面が該梃子棒８２に押圧され、可動押圧片３０が、端子台１内方の開放位置Ｉと外方の接続位置ＩＩとの間を移動するようになっている（図１４，１５参照）。
【００２２】
また、基部３３の上面には、突成部３８が形成される。この突成部３８の上端には、前後に指標凹部９０，９０が形成されており、絶縁性基板２の結線口６，６に形成される開放位置Ｉを示すマーク３９ａや接続位置ＩＩを示すマーク３９ｂ（図２参照）に、該指標凹部９０を一致させることにより、可動押圧片３０の開放位置Ｉと接続位置ＩＩへの位置決めを確実に行い得るようにしている。
【００２３】
さらに、基部３３の内側端には、防塵弁４３が一体的に形成される。かかる防塵弁４３は、基部３３の内側端から突成される正面視Ｖ字形の屈曲防塵片４３ａと、該屈曲防塵片４３ａの屈曲部から下方に突成される舌状の可撓性防塵片４３ｂとで構成される。前記屈曲防塵片４３ａは、左端部に形成される嵌合部６０を、絶縁性基板２の肉厚頂部７に形成される嵌合溝６１（図２参照）に嵌合し、可動押圧片３０の開放位置Ｉでは、可動押圧片３０と肉厚頂部７との間で折り畳まれ、可動押圧片３０の接続位置ＩＩでは、端子台１の外方へ展開し、可動押圧片３０の接続位置ＩＩへの変位後に、可動押圧片３０の内側端と肉厚頂部７との間に生じる間隙を杆状導通片２０の上方で遮蔽する。一方、可撓性防塵片４３ｂは、屈曲防塵片４３ａの伸縮に伴い傾動して、可動押圧片３０の開放位置Ｉで操作溝８方向へ突出し、梃子棒貫通孔３２より挿入された梃子棒８２を該操作溝８へ案内すると共に、可動押圧片３０の接続位置ＩＩで梃子棒貫通孔３２を下方で遮蔽して、該梃子棒貫通孔３２から塵埃が杆状導通片２０上に落下するのを防止する。
【００２４】
作動孔４４は、図８〜１１に示すように、可動押圧片３０の中央部に上下に形成され、前記突成部３８の上面と、リード線保持孔３１の側面との間を連通し、その内部には、杆状のリード線挿入確認片４０が密嵌して、昇降可能に保持される。このリード線挿入確認片４０は、下部に切欠部９１が形成された上下に長い杆状をなし、作動孔４４に嵌入した状態で該切欠部９１をリード線保持孔３１内に露出する。
【００２５】
また、可動押圧片３０の外側部に形成される前記リード線保持孔３１は、基部３３外側部を上下に貫通する上部の貫通部３１ａと、該貫通部３１ａの下端と連通し、押圧部３４内で前後に開放する下部の開放部３１ｂとからなる。そして、該開放部３１ｂの下底部をリード線８０の挿入端８１の座定位置Ｘとしている。そして、上述したように該押圧部３４の上縁と基部３３の外側部下縁との間には、接続位置ＩＩでＶ形破断刃２２がくい込むため、リード線保持孔３１には、接続位置ＩＩで貫通部３１ａと開放部３１ｂとの間をＶ形破断刃２２が横断し、リード線保持孔３１とＶ形破断刃２２とが上下で重なることとなる。
【００２６】
そして、接続位置ＩＩでＶ形破断刃２２が嵌入する押圧部３４の上縁と基部３３の外側部下縁との間には、リード線保持孔３１の両側傍に位置させて、薄板状の隙間板４５ａ，４５ｂが形成される。かかる隙間板４５ａ，４５ｂは、可動押圧片３０が、開放位置Ｉから接続位置ＩＩに変位する際に、舌片部２１ｃ，２１ｃ間に進入して、リード線８０の被覆が適切に切断されるように、Ｖ形破断刃２２の先端を押し広げる（図１６参照）。
【００２７】
さらに、押圧部３４の底辺部の前後面には突起３６，３６が形成されており、一方、杆状導通片２０の側面部２１ｂ，２１ｂ内側には突部２５が形成される（図５〜７参照）。そして、この突起３６，３６と突部２５とは、可動押圧片３０が、開放位置Ｉや接続位置ＩＩに位置する状態で相互に当接し、可動押圧片３０を保持する節度手段を構成する。
【００２８】
次に本発明の要部である、リード線保持片４６，４７について図８〜図１２に従って説明する。本実施例ではリード線保持孔３１の開放部３１ｂの外側に舌状をなす可撓性の舌状リード線保持片４６を、内側には逆Ｔ形をなし、前記リード線挿入確認片４０の下部と連係する逆Ｔ形リード線保持片４７が突成されており、リード線保持孔３１に挿入されたリード線８０の挿入端８１を両リード線保持片４６，４７により挟圧して、保持するものである。
【００２９】
舌状リード線保持片４６は、押圧部３４の外側縦辺３４ａから、リード線保持孔３１の内側下部に向けて一体的に突成され、その先端をリード線保持孔３１の内側傍まで突出する。従って、該リード線保持孔３１に挿入されたリード線８０の挿入端８１は該舌状リード線保持片４６の上面に当接し、該挿入端８１の押圧力により該舌状リード線保持片４６の先端が下方へ撓むこととなる。
【００３０】
逆Ｔ形のリード線保持片４７は、押圧部３４の内側縦辺上部の外方延出部から下方へ突出する薄肉な可撓性の保持部４８ａと、該保持部４８ａの下端から両側へ突出してなり、該保持部４８ａの変形により傾動する杆状の傾動部４８ｂとを一体的に成形してなる。そして、前記傾動部４８ｂの両端のうち、外方に突出する弾接端４９は、開放部３１ｂの前記舌状リード線保持片４６の下方に突出し、先端を座定位置Ｘ周辺の座定領域に位置させて、座定位置Ｘまで挿入したリード線８０の挿入端８１と当接するようになっている。一方、傾動部４８ｂの内方に突出する係合端５０は、その先端を、作動孔４４から突出するリード線挿入確認片４０の切欠部９１に嵌入し、該リード線挿入確認片４０を、傾動部４８ｂの傾動に従って昇降させるようになっている。
【００３１】
次に、座定位置Ｘへのリード線８０の挿入に伴う両リード線保持片４６，４７の作動について図１３を参照して説明する。
まず、リード線保持孔３１にリード線８０が挿入されない状態にあっては、舌状リード線保持片４６及び逆Ｔ形リード線保持片４７は定常状態にあり、リード線挿入確認片４０は、逆Ｔ形リード線保持片４７の係合端５０により、作動孔４４の下方で係止され、その上端は、作動孔４４内に退避している（図１３（イ）参照）。そして、リード線保持孔３１にリード線８０を挿入して行くと、挿入端８１の外側縁が舌状リード線保持片４６と当接し、その先端を下方に撓ませると共に、該挿入端８１の内側縁が逆Ｔ形リード線保持片４７の弾接端４９と当接し、該挿入端８１による弾接端４９への押圧作用により、保持部４８ａが下端を左方に撓ませて、傾動部４８ｂを左方向へ傾動させる。これに伴って傾動部４８ｂの係合端５０が切欠部９１を押し上げて、リード線挿入確認片４０が上昇し始める（図１３（ロ）参照）。そして、リード線８０を座定位置Ｘまで挿入すると、保持部４８ａはさらに弾性変形し、逆Ｔ形リード線保持片４７の係合端５０により、リード線挿入確認片４０上端を作動孔４４の上部開口から、確認位置Ｙへ突出させると共に、舌状リード線保持片４６と、逆Ｔ形リード線保持片４７の弾接端４９とが、リード線８０の挿入端８１の側縁に内外から弾接して、該挿入端８１を挟圧して、座定位置Ｘに保持する（図１３（ハ）参照）。
【００３２】
これに対して前記リード線８０の挿入端８１が座定位置Ｘに位置する状態で（図１３（ハ）参照）、両リード線保持片４６，４７の保持力に逆らいリード線８０を引抜いた場合には、該挿入端８１の座定位置Ｘからの退避により、弾接していた舌状リード線保持片４６及び逆Ｔ形リード線保持片４７は定常位置へ復帰する。そして、該逆Ｔ形リード線保持片４７の復帰により、その傾動部４８ｂの係合端５０が下方に傾動してリード線挿入確認片４０を押し下げ、該リード線挿入確認片４０の上端は、確認位置Ｙから作動孔４４内に退避することとなる（図１３（ロ），（イ）参照）。
【００３３】
このように、かかる構成では、リード線保持孔３１にリード線８０を挿入し、該挿入端８１を座定位置Ｘまで挿入すると、該挿入端８１の押圧によりリード線保持片４６，４７が撓んで、該挿入端８１を両側縁で挟圧して、座定位置Ｘからの脱落を防止する。ここで、リード線保持片４６，４７はリード線の太さに応じて撓むから、幅広い太さのリード線を挟持できる。また、リード線８０の挿入端８１の座定位置Ｘへの進入に伴い、リード線挿入確認片４０の上端が確認位置Ｙへ突出するため、リード線保持孔３１内の該挿入端８１が座定位置Ｘまで挿入していることを、確認位置Ｙにおけるリード線挿入確認片４０上端の有無により確認できる。
【００３４】
次に、この端子台１の、接続部３，３への結線手順を図１４，１５に従って説明する。まずリード線８０の非接続時には、可動押圧片３０は開放位置Ｉとなっている（図１４（イ）参照）。この状態で、結線口６，６からリード線８０をリード線保持孔３１に挿入し、その挿入端８１が座定位置Ｘまで達すると、上述したように、前記リード線保持片４６，４７が該挿入端８１に押圧されて変形し、該挿入端８１の側縁を内外で挟持して、座定位置Ｘに保持する。そして、これに伴いリード線挿入確認片４０の上端が確認位置Ｙに突出し、外方から容易に視認可能となる（図１４（ロ）参照）。
【００３５】
続いて、梃子棒貫通孔３２及び梃子棒作動口２３とから梃子棒８２を挿入し、その先端を操作溝８の底縁に当接する。そして、支持側縁９を支点として梃子棒８２を操作溝８内で傾動する（図１５（ハ）参照）と、梃子棒貫通孔３２は、梃子棒８２に対して遊びがほとんどないから、該梃子棒８２の傾動操作による回動モーメントの作用を受けて、可動押圧片３０は梃子棒貫通孔３２での梃子棒８２の幅変位に相当する分だけ杆状導通片２０に沿って移動して接続位置ＩＩとなる（図１５（ニ）参照）。
【００３６】
そして、かかる可動押圧片３０の接続位置ＩＩへの変位により、可動押圧片３０は、その押圧部３４が杆状導通片２０の舌片部２１ｃ，２１ｃ内に嵌合し、かつリード線保持孔３１がＶ形破断刃２２と上下で重なる。そして、図１６に示すように、リード線保持孔３１に挿入されたリード線８０は、リード線保持孔３１の内側面により、Ｖ形破断刃２２へ押し付けられ（図１６（ロ）参照）、Ｖ形破断刃２２の間に嵌入する（図１６（ハ）参照）。ここで、該Ｖ形破断刃２２の刃先は長手方向に沿って突出しているから、被覆８４に刃先が食い込んで、導線８３が切断されない程度に被覆８４が破断され、リード線８０は、その導線８３をＶ形破断刃２２間で挟持されて杆状導通片２０と電気的に接続すると共に、リード線保持孔３１から引抜き不可能に保持されることとなる。
【００３７】
かかる構成にあっては、座定位置Ｘまで挿入したリード線８０は、リード線保持片４６，４７の挟圧により、その挿入端８１を座定位置Ｘに保持されるため、リード線８０の接続作業において、挿入したリード線８０を外部で把持せずとも、その挿入端８１が座定位置Ｘから外れることなく、梃子棒８２の傾動操作のみで該リード線８０を杆状導通片２０に接続できる。特に、かかる端子台１を列設してなる集合端子台１１に複数のリード線８０を接続する際には、全てのリード線８０をリード線保持孔３１に夫々挿入して、開放位置Ｉで座定位置Ｘに保持した後に、梃子棒８２を用いて、全てのリード線８０を各杆状導通片２０に立て続けに接続するようにすれば、作業時間を短縮し得る。また、リード線挿入確認片４０により、リード線８０が座定位置Ｘまで挿入しているか否かを視認できるため、リード線８０の挿入時にその挿入端８１が座定位置Ｘまで挿入したことを視認できると共に、上述した集合端子台１１への接続作業においても、挿入したリード線８０を開放位置Ｉで放置しておいても、該リード線挿入確認片４０によりその挿入端８１が座定位置Ｘに保持されていることを容易に確認できるため、かかる接続作業をより確実に行うことができる。
【００３８】
尚、本発明の端子台は、上述の実施例の端子台１にのみ限定されるものではなく、本発明の要旨を逸脱しない範囲内において種々変更を加え得ることは勿論である。例えば、リード線保持片４６，４７は、必ずしもリード線保持孔３１の両側に設ける必要はなく、図１７，１８に示す可動押圧片３０ｐ，３０ｑのように、いずれか一側にのみリード線保持片４６，４７を設け、リード線保持孔３１ｐ，３１ｑの反対側面との間でリード線８０を挟持するようにした構成としてもよい。また、リード線保持孔３１は、本実施例のように前後に開放している必要はなく穴形状でも構わない。さらに、可動押圧片３０は端子台の接続部毎に形成されるものであるから、本実施例のように左右に接続部３を一箇所ずつ具備する端子台１に限らず、三箇所以上の接続部３を具備する端子台にも本発明は適用可能である。
【００３９】
【発明の効果】
以上説明したように、本発明はリード線保持孔内に突成され、リード線保持孔へ挿入されたリード線の挿入端が座定位置となると、該挿入端の側縁に弾接して、該挿入端を座定位置に保持するリード線保持片を備えたことを特徴とする端子台であるから（請求項１）、リード線を接続部に接続する際に挿入したリード線を外部で保持する必要がないため、かかる接続操作を容易に行うことができる。また、かかる端子台を列設してなる集合端子台では、複数のリード線を接続する際に、全てのリード線の挿入と、可動押圧片の移動とを別々に纏めて行うことができるため、集合端子台へのリード線の接続作業を迅速化し得る。
【００４０】
ここで、リード線保持片が、リード線保持孔の少なくとも一側に突成され、リード線保持孔へ挿入されたリード線の挿入端が座定位置となると、該挿入端の側縁に弾接し、該挿入端を、リード線保持孔の反対側面との間で挟圧して、座定位置に保持する構成（請求項２）や、リード線保持片が、リード線保持孔の両側に突成され、リード線保持孔へ挿入されたリード線の挿入端が座定位置となると、両リード線保持片が、該挿入端の側縁に夫々弾接し、該挿入端を挟圧して座定位置に保持する構成（請求項３）とすれば、リード線保持片の押圧力により、該リード線の挿入端を座定位置で安定して保持できる。
【００４１】
そして、可動押圧片が、接続位置でＶ形破断刃の下方に位置し、その中央部にリード線保持孔の下部を形成する正面略Ｕ字状の押圧部を備え、前記リード線保持片が、該押圧部の縦辺に連成されて、リード線保持孔内に突出する構成（請求項４）とすることにより、リード線保持孔内に、微小形状のリード線保持片を、部品点数を増やすことなく作製できる。
【００４２】
また、リード線保持片が、リード線保持孔内に突出する可撓性の舌状をなし、リード線保持孔へ挿入されたリード線の挿入端が座定位置となると、該挿入端に下方に押圧されて変形し、該挿入端の側縁に弾接するものである構成（請求項５）では、多様な太さのリード線を座定位置に保持できる。また、リード線保持片の形状は簡素なものであるから低コストで成形できる。
【００４３】
さらに、可動押圧片に上下方向の作動孔を形成して、該作動孔内に、リード線挿入確認片を昇降可能に保持すると共に、前記リード線保持片が、リード線保持孔内で傾動可能に保持されて、その保持部から突出した一端を前記リード線挿入確認片の下部に連係し、保持部から他方へ突出した他端をリード線の挿入端の座定領域内に突出するように配置されて、リード線保持孔へ挿入されたリード線の挿入端が座定位置となると、該挿入端により、他端が下方へ押圧されて、保持部を中心に傾動し、該他端を該挿入端の側縁に弾接すると共に、一端の上方移動によりリード線挿入確認片を上昇させて、その上端を外方から視認可能な確認位置に変位させるものである構成（請求項６）にあっては、リード線保持片により、リード線の挿入端を座定位置に保持するだけでなく、該挿入端が座定位置まで挿入されていることを外方から視認可能となる。このため、リード線を座定位置まで挿入し、外部で把持することなく放置しておいても、可動押圧片を接続位置へ移動して、リード線を接続する際には、リード線挿入確認片により該リード線が座定位置に保持されていることを視認でき、リード線の接続作業をより確実に行うことができる。
【図面の簡単な説明】
【図１】本発明の端子台１を示す正面図である。尚、画成壁４は断面を付して示す。
【図２】絶縁性基板２の正面図である。尚、画成壁４は断面を付して示す。
【図３】集合端子台１１の平面図である。
【図４】集合端子台１１の側面図である。
【図５】杆状導通片２０を一部切欠して示す、正面図である。
【図６】杆状導通片２０の一辺側の平面図である。
【図７】杆状導通片２０の一辺側の側面図である。
【図８】可動押圧片３０及びリード線挿入確認片４０の正面図である。
【図９】リード線挿入確認片４０を保持した可動押圧片３０の縦断正面図である。
【図１０】可動押圧片３０の平面図である。
【図１１】図８のＢ−Ｂ間の断面図である。
【図１２】可動押圧片３０の外方側面図である。
【図１３】リード線８０挿入に伴うリード線挿入確認片４０の変位態様を示す説明図（イ），（ロ），（ハ）である。
【図１４】杆状導通片２０を縦断して、接続部３，３への結線手順を示す説明図（イ），（ロ）である。尚、画成壁４は断面を付して示す。
【図１５】杆状導通片２０を縦断して、接続部３，３への結線手順を示す説明図（ハ），（ニ）である。尚、画成壁４は断面を付して示す。
【図１６】リード線８０の接続過程を示す説明図（イ），（ロ），（ハ）である。ここで隙間板４５ａ，４５ｂ、及びリード線８０を横断して示している。
【図１７】変形例の可動押圧片３０ｐを示す正面図である。
【図１８】変形例の可動押圧片３０ｑを示す正面図である。
【符号の説明】
１  端子台
２  絶縁性基板
３  接続部
８  操作溝
１１  集合端子台
２０  杆状導通片
３０，３０ｐ，３０ｑ  可動押圧片
３１，３１ｐ，３１ｑ  リード線保持孔
３１ａ  貫通部
３１ｂ  開放部
３４，３４ｐ，３４ｑ  押圧部
４０  リード線挿入確認片
４４  作動孔
４６  舌状リード線保持片
４７  逆Ｔ形リード線保持片
４８ａ  保持部
４８ｂ  傾動部
８０  リード線
８１  挿入端
８３  導線
Ｉ  開放位置
ＩＩ  接続位置
Ｘ  座定位置
Ｙ  確認位置
【図１】
2004273379.tif 000003
【図２】
2004273379.tif 000004
【図３】
2004273379.tif 000005
【図４】
2004273379.tif 000006
【図５】
2004273379.tif 000007
【図６】
2004273379.tif 000008
【図７】
2004273379.tif 000009
【図８】
2004273379.tif 000010
【図９】
2004273379.tif 000011
【図１０】
2004273379.tif 000012
【図１１】
2004273379.tif 000013
【図１２】
2004273379.tif 000014
【図１３】
2004273379.tif 000015
【図１４】
2004273379.tif 000016
【図１５】
2004273379.tif 000017
【図１６】
2004273379.tif 000018
【図１７】
2004273379.tif 000019
【図１８】
2004273379.tif 000020